(57)【要約】【課題】上下左右に隣接配置されたユニット式カーテンウォールにおいて、各ユニットの上枠両端部にそれぞれ配置され、カーテンウォールユニットの連結状態で密着状態で突き合わされる端部シール材の合わせ面で発生する毛細管現象による漏水を防止する。【解決手段】各カーテンウォールユニットＵの上枠端部の一方側に第１端部シール材８が配設されるとともに、上枠端部の他方側に第２端部シール材９が配設され、カーテンウォールユニットＵの連結状態で前記第１端部シール材８と前記第２端部シール材９とが密着状態で突き合わせられたユニット式カーテンウォール１において、前記第１端部シール材８と前記第２端部シール材９との合わせ面の一方側又は両方に、下側に開口する空洞部８ｂ、９ｂを設け、該空洞部８Ｂ、９ｂで合わせ面に浸入した雨水を落下させるようにする。【選択図】図５
2013124482.tif 000002
【特許請求の範囲】
【請求項１】
カーテンウォールユニットを上下左右に隣接配置して構成されるユニット式のカーテンウォールであって、少なくとも上下方向に隣接するカーテンウォールユニットの上枠と下枠とが対向する面のいずれか一方に部材長手方向に連続して凸条連結部が形成され、他方に凹条連結部が部材長手方向に連続して形成され、上下に隣接するカーテンウォールユニットの前記凸条連結部と凹条連結部とが互いに嵌合した状態で連結され、各カーテンウォールユニットの上枠端部の一方側に第１端部シール材が配設されるとともに、上枠端部の他方側に第２端部シール材が配設され、カーテンウォールユニットの連結状態で前記第１端部シール材と前記第２端部シール材とが密着状態で突き合わせられたユニット式カーテンウォールにおいて、
前記第１端部シール材と前記第２端部シール材との合わせ面の一方側又は両方に、下側に開口する空洞部を設け、該空洞部で合わせ面に浸入した雨水を落下させるようにしたことを特徴とするユニット式カーテンウォール。
【請求項２】
前記空洞部は前記合わせ面の両方に対象配置で形成してある請求項１記載のユニット式カーテンウォール。
【請求項３】
前記空洞部は室内外方向に間隔を空けて複数形成してある請求項１、２いずれかに記載のユニット式カーテンウォール。
【請求項４】
前記第１端部シール材及び第２端部シール材の室外側に、水返し部が一体的に連設されている請求項１〜３いずれかに記載のユニット式カーテンウォール。
【発明の詳細な説明】
【技術分野】
【０００１】
本発明は、特にインターロッキング方式のユニット式カーテンウォールにおいて、各カーテンウォールユニットの上枠端部に設置される端部シール材間の合わせ面での漏水を防止したユニット式カーテンウォールに関する。
【背景技術】
【０００２】
現在、ビル建設の主流となっているカーテンウォール工法の内で、インターロッキング方式と呼ばれるユニット接続構造が知られている。このインターロッキング方式は、各カーテンウォールユニットを上下左右に隣接配置してビル壁面を構築する際、カーテンウォールの上下枠同士及び／又は縦枠同士を相互に嵌合させることにより各ユニット間の相対変位を吸収させるようにした構造である。
【０００３】
例えば、下記特許文献１では、カーテンウォールユニットを上下左右に連続させて配置したユニットカーテンウォールであって、上下に隣接するカーテンウォールユニットの上枠と下枠の各対向する面のいずれか一方に突条が、他方に凹条溝がそれぞれ長さ方向に連続して形成され、上下に隣接するカーテンウォールユニットが突条と凹条溝とが互いに噛み合って配置されることによりカーテンウォール間の相対変位を吸収しながら、相対変位時のシール材の密着状態を維持し、水密性を確保するカーテンウォールが開示されている。
【０００４】
かかるインターロッキング方式の連結構造では、各ユニット間にシール材を配設し、気密性、水密性を確保することが重要となる。
【０００５】
そこで下記特許文献２では、図１１（同文献の図４）に示されるように、上下に隣接するカーテンウォールユニット１００、２００、３００、４００同士の結合部に沿って横方向に配置される第１のシール材３０５と、左右に隣接するカーテンウォールユニット同士の結合部に沿って縦方向に配置される第２のシール材５０７と、各カーテンウォールユニットの上枠の両端部に取り付けられ、上下、左右に隣り合うカーテンウォールユニットの間の交差部で、前記第１シール材の端部間連続を仲介する第３のシール材７００をユニットにあらかじめ装着し、この第３のシール材７００は、交差部で密着し合うシール面と、インターロック型の凸形連結部が嵌合可能な断面形状を有し、金属製の補強板とシール材料との一体成形構造としたカーテンウォールが開示されている。
【先行技術文献】
【特許文献】
【０００６】
【特許文献１】特開平７−３９２３号公報
【特許文献２】特開２００６−１５２５６０号公報
【発明の概要】
【発明が解決しようとする課題】
【０００７】
前記特許文献２における端部シール材700は、左右に隣り合う二つのユニット間のつなぎ目上面にこれらのユニットを塞ぐ役割を有するものであり、各ユニットの上枠両端部にそれぞれ端部シール材を配設し、ユニットの連結設置時に、前記端部シール材700、700同士を密着状態で突き合わせることによりユニット交点部での水密性と気密性を確保するものである。なお、前記端部シール材700は、発泡シリコーン、発泡樹脂や合成ゴムなどの弾性材料とする側面視で略Ｕ字状の固形シール材であり、「キャッチパン」とも呼ばれるものである。
【０００８】
しかしながら、左右一対の端部シール材700,700同士の合わせ面は、完全に密着しているが、繰り返し水密試験を実施すると、毛細管現象のため雨水が徐々に浸入し、室内側に水漏れを起こすおそれがあることが知見された。
【０００９】
そこで本発明の主たる課題は、上下左右に隣接配置されたユニット式カーテンウォールにおいて、各ユニットの上枠両端部にそれぞれ配置され、カーテンウォールユニットの連結状態で密着状態で突き合わされる端部シール材の合わせ面で発生する毛細管現象による漏水を防止すること等にある。
【課題を解決するための手段】
【００１０】
前記課題を解決するために請求項１に係る本発明として、カーテンウォールユニットを上下左右に隣接配置して構成されるユニット式のカーテンウォールであって、少なくとも上下方向に隣接するカーテンウォールユニットの上枠と下枠とが対向する面のいずれか一方に部材長手方向に連続して凸条連結部が形成され、他方に凹条連結部が部材長手方向に連続して形成され、上下に隣接するカーテンウォールユニットの前記凸条連結部と凹条連結部とが互いに嵌合した状態で連結され、各カーテンウォールユニットの上枠端部の一方側に第１端部シール材が配設されるとともに、上枠端部の他方側に第２端部シール材が配設され、カーテンウォールユニットの連結状態で前記第１端部シール材と前記第２端部シール材とが密着状態で突き合わせられたユニット式カーテンウォールにおいて、
前記第１端部シール材と前記第２端部シール材との合わせ面の一方側又は両方に、下側に開口する空洞部を設け、該空洞部で合わせ面に浸入した雨水を落下させるようにしたことを特徴とするユニット式カーテンウォールが提供される。
【００１１】
上記請求項１記載の発明においては、上枠端部に配置される第１端部シール材と第２端部シール材との合わせ面の一方側又は両方に対して、下側に開口する空洞部を設けるようにした。従って、該空洞部で合わせ面に浸入した雨水は、前記空洞部に到達した段階で毛細管現象が途切れ下方側に落下するため、該合わせ面からの漏水を完全に防止できるようになる。
【００１２】
請求項２に係る本発明として、前記空洞部は前記合わせ面の両方に対象配置で形成してある請求項１記載のユニット式カーテンウォールが提供される。
【００１３】
上記請求項２記載の発明は、前記空洞部を前記合わせ面の両方に対象配置で形成するものである。これにより、より大きな空洞部を形成することが可能となり、浸入した雨水を完全に落下させることが可能となる。
【００１４】
請求項３に係る本発明として、前記空洞部は室内外方向に間隔を空けて複数形成してある請求項１、２いずれかに記載のユニット式カーテンウォールが提供される。
【００１５】
上記請求項３記載の本発明は、前記空洞部を室内外方向に間隔を空けて複数形成するようにしたものである。前記空洞部を複数形成することにより、より完全に漏水を防止することが可能となる。
【００１６】
請求項４に係る本発明として、前記第１端部シール材及び第２端部シール材の室外側に、水返し部が一体的に連設されている請求項１〜３いずれかに記載のユニット式カーテンウォールが提供される。
【００１７】
上記請求項４記載の発明は、前記第１端部シール材及び第２端部シール材の室外側に、水返し部が一体的に連設するようにしたものである。従来は、水返し部を別途単独で設けるようにしていたが、この場合は部品点数の増加を招くとともに、工場での組立工数も増加していたが、水返し部を端部シール材に一体的に連設することにより、部品点数の減少とともに、取り付け手間を軽減できるようになる。
【発明の効果】
【００１８】
以上詳説のとおり本発明によれば、上下左右に隣接配置されたユニット式カーテンウォールにおいて、各ユニットの上枠両端部にそれぞれ配置され、カーテンウォールユニットの連結状態で密着状態で突き合わされる端部シール材の合わせ面で発生する毛細管現象による漏水を防止することが可能となる。
【図面の簡単な説明】
【００１９】
【図１】本発明に係るカーテンウォール１を示す、(A)は外観図、(B)は縦断面図である。
【図２】本カーテンウォールユニットＵの正面図である。
【図３】カーテンウォールユニットＵ、Ｕの連結部を示す拡大縦断面図（図１のIII−III線矢視図）である。
【図４】カーテンウォールユニットＵ、Ｕの連結部を示す拡大横断面図（図１のIV−IV線矢視図）である。
【図５】上枠３の両端部に設けた端部シール材８，９の接合状態を示す要部分解斜視図である。
【図６】第１端部シール材８を示す斜視図である。
【図７】第１端部シール材８を示す、(A)は側面図、(B)は(A)のC-C断面図、(C)は左側面図、(D)は平面図である。
【図８】端部シール材８，９の取り付け状態を示す側面図である。
【図９】端部シール材８，９の変形例（その１）を示す要部分解斜視図である。
【図１０】端部シール材８，９の変形例（その２）を示す要部分解斜視図である。
【図１１】従来（特許文献２）に係るカーテンウォール構造を示す要部斜視図である。
【発明を実施するための形態】
【００２０】
以下、本発明の実施の形態について図面を参照しながら詳述する。
【００２１】
＜カーテンウォールの具体例＞
本発明に係るカーテンウォール１は、図１及び図２に示されるように、上枠３、下枠４、左右縦枠５，６からなる枠体２の内部に、左右縦枠５，６を連結するように高さ方向の中間に無目７が設けられ、各開口枠にガラスＧなどが嵌め込まれて構成されるカーテンウォールユニットＵ（以下、単にユニットという。）が建物躯体の床Ｆ端部に設けられた支持金具３０、３０…によって、ビル壁面に対して上下左右に隣接配置されたユニット式カーテンウォールである。
【００２２】
本カーテンウォール１は、前記上枠３の上面に凹条連結部Ｓ１，Ｓ２が部材長手方向に連続して形成されるとともに、前記下枠４の下面に凸条連結部Ｋ１，Ｋ２が部材長手方向に沿って連続して形成され、上下に隣接するユニットＵ，Ｕ間で前記凹条連結部Ｓ１，Ｓ２と凸条連結部Ｋ１，Ｋ２とが互いに嵌合した状態で連結されるインターロッキング方式を採用している。また、本カーテンウォール１では、左右縦枠５，６についても、一方の右縦枠５の見込み面に凸条連結部Ｋ３が部材長手方向に沿って連続して形成委されるとともに、他方の左縦枠６の見込み面に凹条連結部Ｓ３が部材長手方向に沿って連続して形成され、左右に隣接するユニットＵ間で前記凸条連結部Ｋ３と凹条連結部Ｓ３とが互いに嵌合した状態で連結されるインターロッキング方式を採用している。
【００２３】
以下、更に具体的に詳述する。
【００２４】
前記ユニットＵを構成する上枠３は、図３に示されるように、上枠板３ａの室外側に下側に開口するガラス嵌合溝Ｍ１を形成するように溝型部３ｂが設けられ、この溝型部３ｂの室内側上端隅部より上方向にＬ字状に延出する第１突条片３ｃが設けられている。前記上枠板３ａの中間には、上方向に延出する第２突条片３ｄが設けられるとともに、室内側端部より上方向に延出する第３突条片３ｄが設けられ、前記第１突条片３ｃと第２突条片３ｄとによって第１凹条連結部Ｓ１が構成され、前記第２突条片３ｄと第３突条片３ｅとにより第２凹条連結部Ｓ２が構成されている。
【００２５】
前記第２突条片３ｄの上端には室外側に向けたシール装着部３ｆが設けられているとともに、上端より逆Ｌ字状に延出し、室内側に向けたシール装着片３ｇが設けられている。前記シール装着部３ｆには、レインバリアとなる第１シール材１０が装着され、前記シール装着片３ｇにはスペーサとなる第２シール材１１が装着されている。前記第３突条片３ｅの先端には室外側に向けたシール装着片３ｈが設けられ、このシール装着片３ｈにはウインドバリヤとなる第３シール材１２が装着されている。前記ガラス嵌合溝Ｍ１では、溝の室外側に装着された第１ガスケット１３と室内側に装着された第２ガスケット１４とによりガラスＧの上端部が挟持されている。
【００２６】
次いで、前記下枠４は、同図３に示されるように、第１中空部４ａと第２中空部４ｂとが室内外方向に連設された本体部４Ａの室外側に断面Ｌ字状に延出する延出片４ｃによって上側に開口するガラス嵌合溝Ｍ２が設けられている。前記第１中空部４ａと延出片４ｃとの境界部に下面側に開口する逆Ｕ字状の凹条溝４ｅが形成されているとともに、前記第１中空部４ａと第２中空部４ｂとの境界部にも下面側に開口する逆Ｕ字状の凹条溝４ｄが形成されている。その結果、前記第１中空部４ａの下側部分によって第１凸条連結部Ｋ１が構成されているとともに、前記第２中空部４ｂの下側部分によって凸条連結部Ｋ２が構成されている。
【００２７】
また、前記ガラス嵌合溝Ｍ２部位では、セッティングブロック１４を設置し、これにガラスＧが載置され、溝の室外側に装着された第１ガスケット１３と、溝の室内側に装着された第３ガスケット１５及びその上面に施工されたシール材１６によって前記ガラスＧが挟持されている。なお、下枠４の室外側面には化粧カバー材２５が取り付けられている。
【００２８】
前記上枠３と下枠４との連結状態では、同図に示されるように、前記上枠３の第１凹条連結部Ｓ１に前記下枠４の第１凸条連結部Ｋ１が嵌合され、前記上枠３の第２凹条連結部Ｓ２に前記下枠４の第２凸条連結部Ｋ２が嵌合されている。この嵌合状態で、前記上枠３の第２突条片３ｄに設けられた第１シール材１０が前記下枠４の第１凸条連結部Ｋ１の室内側面に密着し、前記第２突条片３ｄに設けられた第２シール材１１が前記下枠４の第２凸条連結部Ｋ２の室外側面に密着し、更に前記上枠３の第３突条片３ｅに設けられた第３シール材１２が第２凸条連結部Ｋ２の室内側面に密着している。
【００２９】
一方、右縦枠５は、図４に示されるように、縦枠板５ａの室外側に延出片５ｂが設けられ、これに押縁１７が取り付けられ、側方に開口するガラス嵌合溝Ｍ３が形成されている。前記延出片５ｂには他方の左縦枠６側に延びる突出片５ｃが設けられている。前記縦枠板５ａの中間には、他方の左縦枠６側に延びる第１突出片５ｄが設けられるとともに、室内側端部にも同じく左縦枠６側に延びる第２突出片５ｅが設けられている。これら第１突出片５ｄと第２突出片５ｅとによって凸条連結部Ｋ３が構成されている。前記ガラス嵌合溝Ｍ３では、溝の室外側に装着された第１ガスケット１３と、溝の室内側に装着された第３ガスケット１５及びその上面に施工されたシール材１６によって前記ガラスＧが挟持されている。
【００３０】
前記左縦枠６は、同図４に示されるように、縦枠板６ａの室外側に延出片６ｂが設けられ、これに押縁１８が取り付けられ、側方に開口するガラス嵌合溝Ｍ４が形成されている。前記縦枠板６ａの中間には、一方の右縦枠５側に延びる第１突出片６ｄが設けられるとともに、室内側端部にも同じく右縦枠５側に延びる第２突出片６ｅが設けられている。これら第１突出片６ｄ及び第２突出片６ｅの先端には互いに対向する向きにシール材装着部が設けられ、前記第１突出片６ｄにはレインバリヤとなる第４シール材１９が装着され、前記第２突出片６ｅにはウインドバリヤとなる第５シール材２０が装着されている。前記第１突出片６ｄと第２突出片６ｅとによって凹条連結部Ｓ３が構成されている。前記ガラス嵌合溝Ｍ４では、溝の室外側に装着された第１ガスケット１３と、溝の室内側に装着された第３ガスケット１５及びその上面に施工されたシール材１６によって前記ガラスＧが挟持されている。
【００３１】
前記右縦枠５と左縦枠６との連結状態では、同図に示されるように、右縦枠５の凸条連結部Ｋ３が左縦枠６の凹条連結部Ｓ３に嵌合されている。この嵌合状態では、前記左縦枠６の第１突条片６ｄに設けられた第４シール材１９が右縦枠５の第１突出片５ｄの室外側面に密着し、前記左縦枠６の第２突条片６ｅに設けられた第５シール材２０が右縦枠５の第２突出片５ｅの室内側面に密着している。
＜上枠端部シール材８，９＞
図５に示されるように、本カーテンウォール１では、各ユニットＵの上枠端部の一方側に第１端部シール材８が配設されるとともに、上枠端部の他方側に第２端部シール材９が配設され、ユニットＵ、Ｕの連結状態で前記第１端部シール材８と前記第２端部シール材９とが密着状態で突き合わせられている。
【００３２】
前記第１端部シール材８は、図６及び図７に示されるように、略所定の厚み寸法を有するとともに、上面側に凹状部８ｄを有し、側面視で略Ｕ字状を成す固形シール部材であり、発泡シリコーン、発泡樹脂や合成ゴムなどの弾性材料により形成されている。これらの素材の中で、圧縮された時に永久歪みが残留し難い発泡シリコーンが好ましい。
【００３３】
前記第１端部シール材８は、一方側の面が平滑面８Ａとされ、他方側の面が上枠端部の挿入溝形成面８Ｂとなっている。この挿入溝形成面８Ｂには、上枠３の断面形状にほぼ整合するような形状で溝部８ａが形成され、図５及び図８に示されるように、上枠３の端部に嵌合させることにより装着できるようになっている。また、室外側端部には垂れ壁８ｃを備えた水返し部７Ｃが一体的に形成されている。なお、上枠３の前記第３突条片３ｅ先端にはシール装着片３ｈは切り欠かれ、板部のみが溝部８ａに対して挿入するようになっている。また、上枠３の端部には補強のためにガータースプライス２１が設置されている。
【００３４】
第１端部シール材８の上面側の凹状部８ｄには、図８に示されるように、下枠４の凸条連結部Ｋ２が嵌合されるようになっている。また、図５にも示されるように、前記水返し部７Ｃの上面側には押え板２６が設置され、ビスによる固定によって浮き上がりが防止され、第１端部シール材８が固定されるようになっている。
【００３５】
前記第２端部シール材９は、前記第１端部シール材８を丁度、平滑面８Ａを軸として線対象を成す部材であるため、説明は省略する。
【００３６】
本発明では、前記第１端部シール材８と前記第２端部シール材９との合わせ面の一方側又は両方に、下側に開口する空洞部８ｂ、９ｂを設け、該空洞部８ｂ、９ｂで合わせ面に浸入した雨水を下方に落下させるようにしている。図５に示される第１形態例では、前記第１端部シール材８と第２端部シール材９の室内外方向の中間に、対象配置で室外側方向に傾斜させた空洞部８ｂ、９ｂとしている。従って、前記第１端部シール材８と前記第２端部シール材９との合わせ面の内部に毛細管現象によって徐々に浸入してきた雨水は前記空洞部８ｂ、９ｂに達した段階で毛細管現象が消散し、下方に落下させることができ室内側への漏水を完全に防止することができる。
【００３７】
前記空洞部８ｂ、９ｂは、図９に示されるように、傾斜させることなく矩形状に形成してもよいし、図１０に示されるように、室内外方向に間隔を空けて複数の空洞部８ｂ、８ｅ（９ｂ、９ｅ）を形成するようにしてもよい。前記空洞部８ｂ、８ｅ（９ｂ、９ｅ）を複数形成し、端部シール材８，９の合わせ面において浸入した雨水の浸透路を完全に遮断することにより該合わせ面での漏水を完全に防止できるようになる。なお、前記空洞部は第１端部シール材８、第２端部シール材９の一方側のみに形成するようにしてもよい。
【符号の説明】
【００３８】
１…カーテンウォール、２…枠体、３…上枠、４…下枠、５…右縦枠、６…左縦枠、７…無目、８…第１端部シール材、８ｂ・８ｅ…空洞部、８Ｃ…水返し部、９…第２端部シール材、９ｂ・９ｅ…空洞部、Ｓ１…第１凹状連結部、Ｓ２…第２凹状連結部、Ｓ３…第３凹状連結部、Ｋ１…第１凸条連結部、Ｋ２…第２凸条連結部、Ｋ３…第３凸条連結部、Ｕ…カーテンウォールユニット、Ｇ…ガラス
【図１】
2013124482.tif 000003
【図２】
2013124482.tif 000004
【図３】
2013124482.tif 000005
【図４】
2013124482.tif 000006
【図５】
2013124482.tif 000007
【図６】
2013124482.tif 000008
【図７】
2013124482.tif 000009
【図８】
2013124482.tif 000010
【図９】
2013124482.tif 000011
【図１０】
2013124482.tif 000012
【図１１】
2013124482.tif 000013